(57)【要約】【課題】表示される映像が改良される立体映像を表示する立体映像表示装置を提供する。【解決手段】表示対象物を水平面に傾斜した面で分割し、分割した各分割面での断面映像を複数の移動映像表示板ａ１〜ａ７に映像送信手段５１より順次表示し、残像効果を利用して立体映像として表示する立体映像表示装置であって、前記複数の移動映像表示板を駆動する映像表示板駆動手段５６により観測領域内の前記移動映像表示板を傾斜させた状態で上から下に平行移動させると共に、前記各位置での断面映像を前記映像送信手段５３を介して前記移動映像表示板に所定間隔毎に順次送信する。【選択図】　　　図１
2004072221.tif 000002
【特許請求の範囲】
【請求項１】
対象表示立体物を水平面に対し所定角度をなす面で等間隔に分割した各分割面に対して垂直方向から見た各断面データを分割した順番に従って作成した画像データを送信する送信部と、前記送信部からの画像データを受信する受信部とを備え、前記画像データを受信順番に従って受信し前記画像データを残像効果を利用した立体映像として表示する移動映像表示手段とより構成した立体映像表示装置であって、
前記移動映像表示手段は、前記受信部を有してその受信部が受信した画像データを受信した順番に表示する複数の移動映像表示板と、前記複数の移動映像表示板の一辺が等間隔に固定された環状ベルトと、前記環状ベルトがオーバル状に環回された回転体とより成り、
前記回転体を駆動する映像表示板駆動手段により観測領域内の前記移動映像表示板を前記所定角度傾斜させて、前記対象表示立体物の分割面の傾斜と一致させた状態で前記移動映像表示板を上から下に連続移動させ、前記観測領域での前記移動映像表示板の移動軌跡が立体空間を形成するようにすると共に、前記画像データを前記観測領域内の前記複数の移動映像表示板の所定の移動映像表示板に順次送信し、前記立体空間内に前記画像データを残像効果を生ぜしめる時間内に順次受信し表示するようにしたことを特徴とする立体映像表示装置。
【発明の詳細な説明】
【０００１】
【発明の属する技術分野】
本発明は対象表示立体物を立体（３次元）映像として表示する立体映像表示装置に関する。
【０００２】
【従来の技術】
立体映像を表示する従来の技術としては、２次元スクリーンに投影された２次元画像を特殊メガネ等を用いて見ることにより、３次元画像を生成したような効果を得るものがある。
代表的なものとしては、赤及び青に色分けされた映像を赤及び青のフィルタで出来たメガネをかけて見る方法や、偏光レンズを付けた映写機と偏光フィルタで出来たメガネとを利用する方法等がある。
【０００３】
また、特殊メガネを使用しないで立体表示する技術としては、特開平０５−２２７５４号公報や特開２００１−２５０３６号公報のように、回転スクリーンに投射する方法等がある。
【０００４】
従来の回転スクリーンに投射する投射式立体映像生成装置（特開平０５−２２７５４号公報）について以下に図と共に説明する。
図９は、従来の投射式立体映像生成装置の一例の概略構成を示した図である。投射式立体映像生成装置９１は、中空回転軸１１０上に取り付けられた回転体１００と、中空回転軸１１０の下に設けられた発光表示器１２０と、その発光表示器１２０を駆動制御するマイクロコンピュータ１３０とよりなる。
【０００５】
回転体１００上にはすりガラス状の半透明回転スクリーン１０１が回転中心上に垂直に設けられている。
半透明回転スクリーン１０１の一方の面に映像９３を投影するようこの回転体１００内の周辺部に投影機１０２が設けられている。
【０００６】
発光表示器１２０に表示された映像９４は中空回転軸１１０の中に設けられた光学系１０３を介して投影機１０２に導かれる。
マイクロコンピュータ１３０は、発光表示器１２０上に表示される映像９４を制御する手段で、具体的には、回転体１００の各回転位置に対応した各表示映像９４を発光表示器１２０上に表示させるように制御する。
【０００７】
活用の仕方の一例として、表示したい立体表示対象物をその対象物の回転中心軸を通る垂直面で各所定角度毎に順次分割し、その対象物を分割した各断面映像を１８０度分マイクロコンピュータ１３０に記憶する。
【０００８】
そのマイクロコンピュータ１３０に記憶させた所定角度毎の各断面映像を回転体１００の半透明スクリーン１０１の所定の回転に対応させて投影機１０２よりその半透明スクリーン１０１の一面に順次投影し、それを繰り返し投影すると、残像効果により表示対象物の静止立体像を見ることが出来る。
【０００９】
【発明が解決しようとする課題】
特殊メガネを用いる方法では、観測者は特殊メガネをかける煩わしさがあると共に、赤及び青で色分けを行う方法ではカラー表示が難しく、偏光フィルタを用いる方法では、観測者が僅かでも顔を傾けると立体効果がなくなってしまうので、長時間の観測には不向きであった。
【００１０】
また、特殊メガネを使用しないで立体表示する、残像効果を利用する堆積走査法よって立体画像を表示する上記に説明した回転スクリーン方式による投影方法によれば、その回転スクリーンの回転軸付近で投影面が小さくなったり、回転軸から遠い部分では映像が薄く見えてしまうという課題が生じていた。
また、スクリーンに映像投影機より立体視する映像を投影する方法も考えられるが、投影方式では、スクリーンへ投影する画像データを作成するのに射影演算処理を行う必要があったり、スクリーン上で立体視する映像の明るさが確保出来ず、まわりを暗くする必要があったりして不便であるという課題が生じていた。
【００１１】
図１０は図９に示した回転スクリーン１０１の回転軸１１０付近で投射面が小さくなる現象を説明するための図であり、観測を上から見ると観測者Ｍから見える範囲が狭くなっていることが判る。
図１１は図９に示した回転スクリーン１０１の回転軸１１０から遠い部分では映像が薄くなる現象を説明するための図であり、回転体１００上に設けられた半透明回転スクリーン１０１が生成する立体映像を視線が横切る距離が短くなるほど映像観測時間が短くなるため、観測者Ｍの視線Ａより視線Ｂの映像の方が薄く見えてしまうと考えられる
【００１２】
そこで本発明は、上記課題に鑑みてなされたものであり、回転スクリーン１０１の回転軸１１０付近で投射面が小さくなる現象や回転スクリーン１０１の回転軸１１０から遠い部分では映像が薄くなる現象を、かかる回転軸１１０の周りに回転する回転スクリーン１０１を使用せずに改善することを目的とするものである。
【００１３】
【課題を解決するための手段】
上記の課題を解決するために、
請求項１に記載された発明は、
対象表示立体物を水平面に対し所定角度をなす面で等間隔に分割した各分割面に対して垂直方向から見た各断面データを分割した順番に従って作成した画像データを送信する送信部５１と、前記送信部５１からの画像データを受信する受信部５３とを備え、前記画像データを受信順番に従って受信し前記画像データを残像効果を利用した立体映像として表示する移動映像表示手段５２とより構成した立体映像表示装置であって、
前記移動映像表示手段５２は、前記受信部５３を有してその受信部５３が受信した画像データを受信した順番に表示する複数の移動映像表示板（ａ１〜ａｎ）と、前記複数の移動映像表示板の一辺が等間隔に固定された環状ベルト（ｂ１）と、前記環状ベルト（ｂ１）がオーバル状に環回された回転体（ｄ１，ｄ２）とより成り、
前記回転体（ｄ１，ｄ２）を駆動する映像表示板駆動手段５６により観測領域内の前記移動映像表示板（ａ１〜ａｎ）を前記所定角度傾斜させて、前記対象表示立体物の分割面の傾斜と一致させた状態で前記移動映像表示板（ａ１〜ａｎ）を上から下に連続移動させ、前記観測領域での前記移動映像表示板の移動軌跡が立体空間を形成するようにすると共に、前記画像データを前記観測領域内の前記複数の移動映像表示板の所定の移動映像表示板に順次送信し、前記立体空間内に前記画像データを残像効果を生ぜしめる時間内に順次受信し表示するようにしたことを特徴とする立体映像表示装置を提供するものである。
【００１４】
【発明の実施の形態】
本発明の立体映像表示装置の実施の形態につき、好ましい実施例により、以下に図と共に説明する。
図１は本発明の立体映像表示装置の一実施例（複数の映像表示板（ａ１）〜（ａｎ）、複数の映像無線受信装置（５３−１）〜（５３−ｎ）がｎ＝７の場合）の概略構成を示したものである。
【００１５】
図１の実施例は、複数の移動映像表示板（ａ１）〜（ａ７）、映像表示板幅のベルト（ｂ１）、映像表示板の各上端を支持する支持部（ｃ１）、前記ベルト（ｂ１）を回転させる回転体（ｄ１），（ｄ２）、バッテリー（ｈ）、複数の移動映像表示板（ａ１）〜（ａ７）に映像を無線送信する映像無線送信装置５１、映像無線受信装置５３（（５３−１）〜（５３−７））、及び複数の移動映像表示板（ａ１）〜（ａ７）を駆動する映像表示板駆動装置５６より構成されている。
【００１６】
図１の移動映像表示板５２は移動映像表示板（ａ１）〜（ａ７）を後記するオーバル状に配置したベルト（ｂ１）にその一辺を固定し、それらの移動映像表示板（ａ１）〜（ａ７）を回転移動させる構成のものである。
【００１７】
移動映像表示板（ａ１）〜（ａ７）への電力供給は、各移動映像表示板にバッテリー（ｈ）を取り付ける。またベルト（ｂ１）上にこのバッテリー（ｈ）を設け、ベルト（ｂ１）上を配線し各移動映像表示板に供給する。
映像信号の伝送には無線を使い、映像の送出し側に映像無線送信装置５１を、各移動映像表示板（ａ１）〜（ａ７）には映像無線受信装置（５３−１）〜（５３−７）を設ける。
【００１８】
移動映像表示板（ａ１）〜（ａ７）としては、例えば自照（自光）式の液晶表示板、ＬＥＤ表示板、ＥＬ表示板等が利用出来る。
移動映像表示板（ａ１）〜（ａ７）には図１７に示されるような位置に映像無線受信装置（映像無線受信部）（５３−１）〜（５３−７）がそれぞれ設けられてあり、映像無線送信装置（映像無線送信部）５１からの送信画像データをそれぞれ受信し、液晶表示板に表示している。
【００１９】
無線伝送方式には赤外線やラジオ波等を用いる。図はベルト（ｂ１）上にバッテリ（ｈ）を設けた電力供給と、赤外線を用いた無線映像信号伝送とを用いた実施例である。
【００２０】
オーバル状であれば、移動映像表示板（ａ１）〜（ａ７）が平行に移動する部分が有り、その平行に移動する平行移動部分を観測者Ｍが映像を見る適切な映像の観測領域として確保することが出来る。
【００２１】
映像表示板幅のベルト（ｂ１）に移動映像表示板（ａ１）〜（ａ７）の一辺（下端）をそれぞれ固定し、移動映像表示板（ａ１）〜（ａ７）の傾斜は映像表示板（ａ１）〜（ａ７）の移動に伴いその傾斜を変えられるように設計されている。
【００２２】
移動映像表示板（ａ１）〜（ａ７）はその高さと同じ長さを間隔として、複数枚（ここでは（ａ１）〜（ａ７）の７枚）が等間隔になるように配置される。
外側の支持部（ｃ１）は各移動映像表示板（ａ１）〜（ａ７）の各上端を支持する部材であり、透明の面を有する部材でも、左右の上端のみを支持するレール状の部材であってもよい。
【００２３】
回転体（ｄ１，ｄ２）は、それぞれ、図示せぬモータ等により回転させられる回転体であって、オーバル状に環回配置されたベルト（ｂ１）を等速にモータ等により移動させる機構である。これにより、観測領域には連続して移動映像表示板（ａ１）〜（ａ７）が出現可能になる。
【００２４】
ここで、オーバル状とは、卵形（楕円）にやや類似した形で、円形を２等分して離間させ、その間に夫々所定の同じ長さの２線分を接続して出来上がる図１に示される（ｂ１）のベルトの断面の形状である。これは陸上競技場のトラツクに見られる平行な２直線部と半円形のコーナ部とを有する周回コースに類似した形状である。
【００２５】
なお、移動映像表示板（ａ１）〜（ａ７）が移動する、少なくとも観測領域には、移動映像表示板（ａ１）〜（ａ７）に近接してその移動移動映像表示板の外側の部材（ｃ１）の前面の観測領域に保護用固定透明板（ｇ１）を設けて、観測者Ｍが高速移動の移動映像表示板（ａ１）〜（ａ７）の上端部に直接接触出来ないように安全上の配慮をしてある（図２参照）。
【００２６】
図３は、移動映像表示板の上端を手前側、下端を奥側に傾けて、上から下へ平行移動させる移動映像表示板装置５２を示したものである。
図３は、移動映像表示板装置５２の観測を上（図３（ａ））と横（図３（ｂ））から見たものを示したが、連続して移動する移動映像表示板の軌跡を表す立体が立方体を包含しているため、点線で示した観測者Ｍのどの視線でも同じ表示面と同じ観測時間を確保出来るものである。
【００２７】
この移動映像表示板を連続的に実現する実施例を挙げる。
移動映像表示板の軌跡を表す立体を常に確保する為には、下まで移動した移動映像表示板を瞬時に上に持って来なければならない。
【００２８】
そこで図４に示したように、移動映像表示板を複数枚用意し、順次実線の矢印で示されるように、移動映像表示板を上から下に移動すればよい。
移動のタイミングは、移動映像表示板の上端が観測領域の上端Ｕを通過したとき、次の移動映像表示板の下端が観測領域の上端Ｕに進入するようにする。
【００２９】
つぎに映像無線送信装置による移動映像表示板の一方の面への表示映像について、図５と共に説明する。
水平右方向をＸ軸、垂直上方向をＹ軸、奥行き方向をＺ軸とすると、各移動映像表示板が観測領域を通過して形成される表示立体は、
０≦Ｘ≦Ｘｍ、　０≦Ｙ≦Ｙｍ、　０≦Ｚ≦Ｚｍ
（Ｘｍ、Ｙｍ、Ｚｍは、表示立体の縦、横、奥行きの長さ）
で表せる。
【００３０】
また、一番下端に位置する移動映像表示板は、
Ｙ＝ａＺ　　　　　　　　　　　　　　　　　　（式１）
（ａは表示板の傾き）
となる。
【００３１】
移動映像表示板をＹ軸の負方向に移動させたものが移動映像表示板となるので、これを移動速度（Ｖｚ）を用いて表すと、
Ｙ＝ａＺ＋Ｙｍ−Ｖｚ×ｔ　　　　　　　　　　（式２）
（ｔは時間）
となり、表示立体を通過する時間は、
０≦ｔ≦２×Ｙｍ／Ｖｚ
となる。
【００３２】
一方、移動映像表示板の一方の面に表示する映像は、ＮＴＳＣ方式のようなラスタスキャン方式を用いると、図６に矢印で示されるように上端から右方向に順次ラインスキャンして形成される。これは移動映像表示板上に現れるので、立体上にスキャンされて表示される。
【００３３】
これを連続的に行ったものが図７となる。
この時、移動映像表示板に表示される映像は、表示する立体をこの移動映像表示板面で切断した断面映像となる。
もし、立体が動画の場合でも、同様に表示立体中の動立体を（式２）により切断して、時間毎の断面映像とすればよい。
【００３４】
表示は、縦方向、横方向に対して映像更新が線形等速移動するので、置き換えられる。
移動映像表示板方式は、移動映像表示板は前後に傾斜させた状態で上から下方向に線形等速移動を行うので、このラスタスキャン方式の映像更新と同期を取りやすいという利点を有している。
【００３５】
立体映像無線送信装置は高速に上から下に平行移動する各移動映像表示板の一方の面に対して表示対象物の各断面映像を所定間隔毎に断続的に順次表示することにより、残像効果を発生させて安定した立体画像を表示する（図１２、図１３参照）。
【００３６】
所定の速さで高速に上から下に平行移動する移動映像表示板の位置（高さ）に応じて表示する断面画像を更新していくことにより、種々の対象表示立体物の立体映像を表示する。
【００３７】
図１２、図１３は移動している、例えば移動映像表示板（ａ１）のｔ（１）〜ｔ（５）の所定間隔毎の時刻に対応させて移動映像表示板（ａ１）の各表示位置ｈ（１）〜ｈ（５）に映像無線送信装置５１より表示画像データが表示された対象表示立体物の各断面の映像ｐ（１）〜ｐ（５）をまとめて示した図である。
【００３８】
次の移動映像表示板（ａ２）のｔ（６）〜ｔ（１０）の所定間隔毎の時刻に対応させて移動映像表示板（ａ２）のｈ（１）〜ｈ（５）の各位置に前記対象表示立体物の各断面の表示画像データを表示させれば、各位置の同じ断面映像ｐ（１）〜ｐ（５）を表示出来る。
【００３９】
次の移動映像表示板（ａ３）〜（ａ７）に対しても前記対象表示立体物の各断面の表示画像データを所定間隔毎の時刻に表示させ続ければ移動映像表示板の各位置に同じ断面映像を表示出来る。
移動映像表示板（ａ１）〜（ａ７）を高速移動（回転）させて残像効果を生ぜしめる時間内に映像無線送信装置５１により表示させると、残像効果により前記対象表示立体物に対応する静止の立体映像として見ることが出来る。
【００４０】
映像無線送信装置５１の表示映像と移動映像表示板（ａ１）〜（ａ７）の高速移動（回転）とを同期させると表示位置が固定され、表示対象物の立体映像はより見やすくなる。
移動映像表示板（ａ１）〜（ａ７）に表示させる映像を移動映像表示板（ａ１），（ａ２），（ａ３），．．．，（ａ７）毎に関連付けた映像を位置等を少し変えて表示すると動画の立体映像を見ることが出来る。
【００４１】
図１４は本発明の立体映像表示装置の一実施例のブロック構成を示した図である。
図１４に示される実施例は、映像無線送信装置５１、映像表示板装置５２、映像無線受信装置５３、及び映像表示板駆動装置５６（同期信号分離装置５６Ａ、移動表示板制御装置５６Ｂ、移動表示板駆動装置５６Ｃ、表示板位置検出装置５６Ｄ、及び表示板速度検出装置５６Ｅ）より構成されている。
【００４２】
映像無線送信装置５１及び同期信号分離装置５６Ａには、画像供給装置５７を構成する映像再生装置５７Ａ及びコンピュータ５７Ｂの出力を切り換える信号切換え装置５８の出力が供給される。
【００４３】
ＶＴＲのような映像再生装置５７Ａからの映像やパーソナルコンピュータ５７Ｂにより作成されたコンピュータグラフィック映像を、信号切換え装置５８にてその何れかを選択し、映像無線送信装置５１及び同期信号分離装置５６Ａに供給する。
【００４４】
ここで、コンピュータ５７Ｂによる表示画像データの作成法について図と共に説明する。
このコンピュータ５７Ｂには、予め入力されている表示対象物の３次元画像データから移動映像表示板が平行移動する際の各高さ位置に対応する各断面画像の２次元画像データを生成する処理を行うソフトウエアが組み込まれている。
【００４５】
映像無線送信装置５１と画像供給装置５７との間は、オンラインによるデータの授受が可能なものであるが、これに限らず、光磁気ディスク、メモリカード等の記録媒体を介してデータの授受も可能なものである。
【００４６】
図１５は表示対象物としての一例の球体を分割してその２次元画像データを作成する為の説明図である。
ベース水平面に球体を設置してその球体を前記ベース水平面に対して所定角度傾斜させた面で等間隔に例えばｄ（１）〜ｄ（５）の分割位置で５分割する。５分割面で球体をコンピュータグラフィック処理して出来た球体の各断面画像ｐ（１）〜ｐ（５）を表示用に処理して順番にコンピュータ５７Ｂの図示していないメモリ装置に記憶する。なお、スクリーン方式とは異なり、射影演算処理は必要ない。
【００４７】
図１６は表示対象物としての一例の直方体についてその２次元画像データを作成する為の説明図であり、画像データの作成法は図１５の球体の場合と同様に処理される。
【００４８】
映像無線送信装置５１は、映像無線受信装置５３を介して移動映像表示板（ａ１）〜（ａ７）の一方の面に表示する画像データを順番に送信する。
例えば、移動映像表示板（ａ１）〜（ａ７）は図１７に示されるようにその左上に映像無線受信装置（５３−ｎ）を有する液晶表示板（ａｎ）である。
同期信号分離装置５６Ａは、入力された映像信号から、水平及び垂直同期信号を分離し、移動映像表示板制御装置５６Ｂに供給する。
【００４９】
移動映像表示板制御装置５６Ｂは各同期信号と、映像表示板位置検出装置５６Ｄと映像表示板速度検出装置５６Ｅとから得られた移動映像表示板（ａ１）〜（ａ７）の位置と速度を基に、移動映像表示板駆動装置５６Ｃを制御し、映像無線送信装置５１の送信映像と移動映像表示板（ａ１）〜（ａ７）の移動速度との同期を取る。
【００５０】
映像無線送信装置５１の送信画像データと移動映像表示板（ａ１）の移動速度とは同期し、画像データを順次移動映像表示板（ａ１）の各所定移動位置の映像無線受信装置５３に断続的に送信する。画像データを無線送信する方式では、送信画像データは各断面画像ｐ（１）〜ｐ（５）のデータとなる。
【００５１】
静止立体映像として見たい場合には次の移動映像表示板（ａ２）に対しても各断面画像ｐ（１）〜ｐ（５）の画像データを順次移動映像表示板（ａ２）の各位置に送信する。以降の移動映像表示板に対しても同じように送信する。こうすることで球体の静止立体映像を継続して観測者は見ることが出来る（図１２参照）。
【００５２】
２回目の可動移動映像表示板（ａ１）の各位置から図１６で処理して記憶されている直方体の画像データに切り換えて送信すれば、１回目は球体の静止立体映像を２回目は直方体の静止立体映像を観測者は見ることが出来る。
【００５３】
移動映像表示板には実際の各断面画像データが表示されるので、観測者が見る位置、角度を変えてもその変えた位置で全体の各断面画像を立体画像として見ることが出来るのが特徴である。
各断面画像データは対象表示立体物の全３次元のデータを持つ必要はなく、所定の分割位置での断面２次元データだけを作成して記憶させておくだけでよい。
【００５４】
【発明の効果】
以上に説明したように本発明の立体映像表示装置によれば、特殊メガネを使用しないで立体表示する回転スクリーン装置の欠点である、投影面が小さくなったり、映像が薄くなったりする現象を上から下に移動する移動映像表示板を使用してなくすことが出来る。
【００５５】
また、本発明の立体映像表示装置によれば、上から下へ平行移動するようにすると平行移動映像表示板は移動映像表示板の移動量が線形関数となるので、上から下へスキャンするラスタスキャンのテレビジョン方式にて映像を表示する立体映像表示装置にうまく適合する。
【００５６】
また、本発明の立体映像表示装置によれば、映像無線送信装置は固定で使用出来、光学経路も従来の映像無線送信装置が利用出来るので、簡単な映像無線送信装置を使用して立体映像表示装置を構築出来る。
【００５７】
また、本発明の立体映像表示装置によれば、データは対象表示立体物の全部分の３次元のデータを持つ必要はなく、所定角度面で分割した分割面の断面２次元データを作成するだけでよいので作成データが少なくて済む。
【００５８】
また、本発明の立体映像表示装置によれば、映像表示板を自光（自照）式とすれば、投影方式とは異なり、明るさが確保出来、まわりを暗くする必要はなくなる。
【００５９】
また、本発明の立体映像表示装置によれば、映像表示板を液晶板等の自光式のものとなるので、小型装置を構築出来、運搬等も簡単になり、使用効率が上がる。
【００６０】
また、本発明の立体映像表示装置によれば、スクリーン方式とは異なり各分割面の断面データに対してそれぞれ射影演算処理を行う必要はなく簡単に送信画像データを作成出来る。
【図面の簡単な説明】
【図１】本発明の立体映像表示装置の一実施例の概略構成を示した図である。
【図２】本発明の立体映像表示装置のオーバル状に配置された映像表示板の一実施例を示した図である。
【図３】本発明の立体映像表示装置の連続して移動する移動映像表示板を上及び横から見た図である。
【図４】本発明の立体映像表示装置の平行移動映像表示板を連続的に実現する方法を説明するための図である。
【図５】表示立体と移動映像表示板との関係を示す図である。
【図６】本発明で使用するラスタスキャン方式の表示を説明する為の図である。
【図７】本発明の立体映像表示装置の表示立体と連続的に移動する移動映像表示板との関係を示した図である。
【図８】本発明の立体映像表示装置の移動映像表示板の位置と表示映像との関係を示した図である。
【図９】従来の立体映像表示装置の回転映像表示板の一例を示した図である。
【図１０】従来の立体映像表示装置の回転映像表示板の一例を上から見た図である。
【図１１】従来の立体映像表示装置の回転映像表示板の一例を上から見た図である。
【図１２】本発明の立体映像表示装置の移動映像表示板に表示される立体映像の一実施例を示した図である。
【図１３】本発明の立体映像表示装置の移動映像表示板に表示される立体映像の他の実施例を示した図である。
【図１４】本発明の立体映像表示装置の一実施例のブロック構成を示した図である。
【図１５】表示対象物として球体を分割してその分割面の２次元画像データを作成する方法を説明する為の図である。
【図１６】表示対象物として直方体を分割してその分割面の２次元画像データを作成する方法を説明する為の図である。
【図１７】本発明の立体映像表示装置を構成する、映像無線受信装置を有する移動映像表示板の一実施例を示した図である。
【符号の説明】
５１　映像無線送信装置（送信部）
５２　移動映像表示板装置（移動映像表示板手段）
５３、（５３−１）〜（５３−７）　映像無線受信装置（受信部）
５６　映像表示板駆動装置（映像表示板駆動手段）
５６Ａ　同期信号分離装置
５６Ｂ　移動映像表示板制御装置
５６Ｃ　移動映像表示板駆動装置
５６Ｄ　映像表示板速度検出装置
５６Ｅ　映像表示板位置検出装置
５７　画像供給装置
５７Ａ　映像再生装置（ＶＴＲ）
５７Ｂ　コンピュータ
５８　信号切換え装置
Ａ，Ｂ　視線
Ｄ　観測領域の下端
Ｕ　観測領域の上端
Ｍ　観測者
ａ１〜ａ７，ａｎ　移動映像表示板（液晶表示板）
ｂ１　映像表示板幅の環状ベルト
ｃ１　映像表示板の上端を支持する支持部
ｄ１，ｄ２　回転体
ｇ１　固定透明板
ｈ　バッテリー
ｈ（１）〜ｈ（５）　移動映像表示板ａ１の各表示位置
ｐ（１）〜ｐ（５）　移動映像表示板ａ１の対象表示立体物の各断面映像
【図１】
2004072221.tif 000003
【図２】
2004072221.tif 000004
【図３】
2004072221.tif 000005
【図４】
2004072221.tif 000006
【図５】
2004072221.tif 000007
【図６】
2004072221.tif 000008
【図７】
2004072221.tif 000009
【図８】
2004072221.tif 000010
【図９】
2004072221.tif 000011
【図１０】
2004072221.tif 000012
【図１１】
2004072221.tif 000013
【図１２】
2004072221.tif 000014
【図１３】
2004072221.tif 000015
【図１４】
2004072221.tif 000016
【図１５】
2004072221.tif 000017
【図１６】
2004072221.tif 000018
【図１７】
2004072221.tif 000019